(57)【特許請求の範囲】
【請求項１】
画像データが含まれるコンテンツ情報を出力する複数の出力装置を有し、前記複数の出力装置のうちの１以上の出力装置の電力状態を制御する電力制御システムであって、
前記コンテンツ情報に含まれる画像データの輝度に基づき、該画像データの輝度が所定以下の画像データを出力する前記出力装置を省電力状態に移行させるための第１の制御情報を生成するか否かを判定する判定手段と、
前記判定手段により前記第１の制御情報を生成すると判定された場合、該第１の制御情報を生成する制御情報生成手段と、
前記第１の制御情報に基づき、前記出力装置を省電力状態に移行させる電力制御手段と、
を有する電力制御システム。
【請求項２】
前記判定手段は、
前記コンテンツ情報に基づき、該コンテンツ情報の出力を行っていない前記出力装置であって所定の時間経過後に前記コンテンツ情報の出力を行う前記出力装置を、該コンテンツ情報の出力を行うことができる電力状態に移行させるための第２の制御情報を生成するか否かを判定し、
前記制御情報生成手段は、
前記判定手段により前記第２の制御情報を生成すると判定された場合、該第２の制御情報を生成し、
前記電力制御手段は、
前記第２の制御情報に基づき、前記所定の時間の経過後に前記出力装置を前記コンテンツ情報の出力を行うことができる電力状態に移行させる、請求項１記載の電力制御システム。
【請求項３】
前記コンテンツ情報は、音データを含み、
前記判定手段は、
前記コンテンツ情報に含まれる前記音データの音量に基づき、該音データの音量が所定以下の音データを出力する前記出力装置を省電力状態に移行させるための第１の制御情報を生成するか否かを判定する、請求項１又は２に記載の電力制御システム。
【請求項４】
画像データが含まれるコンテンツ情報を出力する複数の出力装置と、前記複数の出力装置のうちの１以上の出力装置の電力状態を制御する制御装置とを有する電力制御システムであって、
前記制御装置は、
前記コンテンツ情報に含まれる画像データの輝度に基づき、該画像データの輝度が所定以下の画像データを出力する前記出力装置を省電力状態に移行させるための第１の制御情報を生成するか否かを判定する判定手段と、
前記判定手段により前記第１の制御情報を生成すると判定された場合、該第１の制御情報を生成する制御情報生成手段と、を有し、
前記出力装置は、
前記第１の制御情報に基づき、前記出力装置を省電力状態に移行させる電力制御手段と、
を有する電力制御システム。
【請求項５】
画像データが含まれるコンテンツ情報を出力する出力装置であって、
前記コンテンツ情報に含まれる画像データの輝度に基づき、該画像データの輝度が所定以下の画像データを出力する他の出力装置を省電力状態に移行させるための第１の制御情報を生成するか否かを判定する判定手段と、
前記判定手段により前記第１の制御情報を生成すると判定された場合、該第１の制御情報を生成する制御情報生成手段と、
前記第１の制御情報に基づき、前記他の出力装置を省電力状態に移行させる電力制御手段と、
を有する出力装置。
【請求項６】
画像データが含まれるコンテンツ情報を出力する複数の出力装置を有し、前記複数の出力装置のうちの１以上の出力装置の電力状態を制御する電力制御システムに用いられる電力制御方法であって、
前記コンテンツ情報に含まれる画像データの輝度に基づき、該画像データの輝度が所定以下の画像データを出力する前記出力装置を省電力状態に移行させるための第１の制御情報を生成するか否かを判定する判定手順と、
前記判定手順により前記第１の制御情報を生成すると判定された場合、該第１の制御情報を生成する制御情報生成手順と、
前記第１の制御情報に基づき、前記出力装置を省電力状態に移行させる電力制御手順と、
を有する電力制御方法。
【請求項７】
画像データが含まれるコンテンツ情報を出力する出力装置を、
前記コンテンツ情報に含まれる画像データの輝度に基づき、該画像データの輝度が所定以下の画像データを出力する他の出力装置を省電力状態に移行させるための第１の制御情報を生成するか否かを判定する判定手段、
前記判定手段により前記第１の制御情報を生成すると判定された場合、該第１の制御情報を生成する制御情報生成手段、
前記第１の制御情報に基づき、前記他の出力装置を省電力状態に移行させる電力制御手段、
として機能させるためのプログラム。
【発明の詳細な説明】
【技術分野】
【０００１】
本発明は、電力制御システム、出力装置、電力制御方法、及びプログラムに関する。
【背景技術】
【０００２】
複数の投影装置を組み合わせて１つの大きな画像等を表示する投影システムは従来より知られている。
【０００３】
また、投影装置の動作をフレーム毎に制御することのできる技術が従来より知られている（例えば特許文献１参照）。
【発明の概要】
【発明が解決しようとする課題】
【０００４】
しかしながら、上記の従来技術においては、複数の投影装置を組み合わせた投影システムにおいて画像を投影していない投影装置で不要な電力を消費していた。すなわち、画像を投影していない投影装置も動作中のままであり、不要な電力を消費していた。
【０００５】
本発明の実施の形態は、上記の点に鑑みてなされたもので、コンテンツ情報を出力していない出力装置の電力消費を抑えることを目的とする。
【課題を解決するための手段】
【０００６】
上記目的を達成するため、本発明の実施形態は、コンテンツ情報を出力する１以上の出力装置を有する出力システムであって、前記コンテンツ情報に基づき、該コンテンツ情報を出力しない前記出力装置を省電力状態に移行させるための第１の制御情報を生成するか否かを判定する判定手段と、前記判定手段により前記第１の制御情報を生成すると判定された場合、該第１の制御情報を生成する制御情報生成手段と、前記第１の制御情報に基づき、前記出力装置を省電力状態に移行させる電力制御手段と、を有することを特徴とする。
【発明の効果】
【０００７】
本発明の実施形態によれば、コンテンツ情報を出力していない出力装置の電力消費を抑えることができる。
【図面の簡単な説明】
【０００８】
【図１】本実施形態に係る出力システムの一例の構成図である。
【図２】本実施形態に係る出力装置の一例のハードウェア構成図である。
【図３】本実施形態に係る制御装置の一例のハードウェア構成図である。
【図４】本実施形態に係る出力装置の一例の機能ブロック図である。
【図５】本実施形態に係る制御装置の一例の機能ブロック図である。
【図６】本実施形態に係る出力システムの処理の一例の概要を説明するための図である。
【図７】本実施形態に係る出力システムの処理の一例のシーケンス図である。
【図８】本実施形態に係る出力システムの応用例を説明するための図である。
【発明を実施するための形態】
【０００９】
次に、本発明の実施の形態について、詳細に説明する。
【００１０】
＜システムの構成＞
まず、本実施形態に係る出力システム１のシステム構成について説明する。図１は、本実施形態に係る出力システムの一例の構成図である。図１の出力システム１は、１台以上の出力装置１０と、制御装置２０とが有線又は無線でネットワークＮ１に接続されている。
【００１１】
出力装置１０は、１つの表示面に複数の画像データ等のコンテンツ情報を出力して表示させることができる装置である。また、出力装置１０は、画像データ等に代えて、又は画像データ等とともに音データを出力させることができる。出力装置１０は、例えば、プロジェクタ等の投影装置、ディスプレイ、テレビ等の表示装置、オーディオ機器等の音出力装置である。すなわち、出力装置１０が出力するコンテンツ情報は、画像を出力するための画像データ又は音（音波）を出力するための音データのいずれか一方のみが含まれていてもよいし、画像データと音データの両方が含まれていてもよい。以降では、一例として、コンテンツ情報には画像データと音データとが含まれ、出力装置１０はこの画像データに対応する画像及び音データに対応する音（音波）を出力するプロジェクタ等の投影装置であるとして説明する。
【００１２】
なお、コンテンツ情報に含まれる画像データは、静止画の画像データに限られず、動画の画像データであってもよい。また、プロジェクタは、例えばＤＬＰ（Digital Light Processing）プロジェクタ、液晶プロジェクタ等のプロジェクタの種類は問わない。
【００１３】
また、本実施形態に係る出力システム１は、複数台の出力装置１０がコンテンツ情報を出力するタイミングを同期させて、それぞれの出力装置１０が投影する画像を１つの画像として表示させることができる。なお、以降において、複数の台の出力装置１０をそれぞれ区別し表す場合は、出力装置１０１、出力装置１０２、・・・、出力装置１０ｎと表す。
【００１４】
制御装置２０は、各出力装置１０を制御する装置である。制御装置２０は、各出力装置１０がコンテンツ情報を出力するタイミングを同期させる制御を行う。また、制御装置２０は、各出力装置１０が出力するコンテンツ情報に基づき、出力システム１全体の消費電力を抑えるため出力装置１０の電力制御を行う。
【００１５】
なお、出力システム１は、制御装置２０を有しない構成であってもよい。この場合、制御装置２０が有する機能を各出力装置１０が備えていればよい。すなわち、この場合、各出力装置１０は、他の出力装置１０とコンテンツ情報を出力するタイミングを同期させる制御や他の出力装置１０が出力するコンテンツ情報に基づき他の出力装置１０の電力制御を行う。
【００１６】
＜ハードウェア構成＞
次に、本実施形態に係る出力システム１の出力装置１０及び制御装置２０のハードウェア構成について説明する。
【００１７】
≪出力装置≫
図２は、本実施形態に係る出力装置の一例のハードウェア構成図である。本実施形態に係る出力装置１０は、ＣＰＵ（Central Processing Unit）１０１と、ＲＡＭ（Random Access Memory）１０２と、ＲＯＭ（Read Only Memory）１０３と、外部Ｉ／Ｆ１０４と、通信Ｉ／Ｆ１０５と、光学ユニット制御部１０６と、光源制御部１０８と、スピーカ制御部１１０とがバスＢ１で相互に接続されている。また、光学ユニット制御部１０６、光源制御部１０８、及びスピーカ制御部１１０には、それぞれ、光学ユニット１０７、光源１０９、及びスピーカ１１１が接続されている。
【００１８】
ＣＰＵ１０１は、ＲＯＭ１０３等の記憶装置からプログラムやデータをＲＡＭ１０２上に読み出し、処理を実行することで出力装置１０全体の制御や機能を実現する演算装置である。ＲＡＭ１０２は、プログラムやデータを一時保持する揮発性の半導体メモリ（記憶装置）である。ＲＯＭ１０３は、電源を切ってもプログラムやデータを保持することができる不揮発性の半導体メモリ（記憶装置）である。なお、出力装置１０は、さらに、ＨＤＤ（Hard Disk Drive）やＳＳＤ（Solid State Drive）等の不揮発性の記憶装置を備えていてもよい。
【００１９】
外部Ｉ／Ｆ１０４は、外部装置とのインタフェースである。外部装置には、記録媒体１０４ａ等がある。記憶媒体１０４ａには、出力装置１０が出力するコンテンツ情報や実施形態を実現するプログラムを格納することができる。出力装置１０は外部Ｉ／Ｆ１０４を介して、記録媒体１０４ａの読み取り及び／又は書き込みを行うことができる。
【００２０】
通信Ｉ／Ｆ１０５は、ネットワークＮ１に接続するインタフェースである。これにより、出力装置１０は制御装置２０や他の出力装置１０と通信Ｉ／Ｆ１０５を介して通信を行うことができる。
【００２１】
光学ユニット制御部１０６は、光学ユニット１０７を制御して、ＲＡＭ１０２や不図示のバッファメモリ等に出力された画像データに対応する画像の投影を行う。光学ユニット１０７は、例えば、レンズ、ミラー等の光学部品から構成されるユニット（部品）である。
【００２２】
光源制御部１０８は、光源１０９を制御して、光源１０９の点灯や消灯等を行う。光源１０９は、例えば、例えば水銀ランプ等である。
【００２３】
スピーカ制御部１１０は、スピーカ１１１を制御して、ＲＡＭ１０２や不図示のバッファメモリ等に出力された音データの出力を行う。スピーカ１１１は、音データに対応する音（音波）を発生させる装置等である。なお、スピーカ１１１は、例えば、外部Ｉ／Ｆ１０４に接続されていてもよい。
【００２４】
なお、コンテンツ情報に画像データのみが含まれる場合（すなわち、出力装置１０が画像の出力のみを行う場合）、出力装置１０は、スピーカ制御部１１０及びスピーカ１１１を備えていなくてもよい。同様に、コンテンツ情報に音データのみが含まれる場合（すなわち、出力装置１０が音の出力のみを行う場合）、出力装置１０は、光学ユニット制御部１０６、光学ユニット１０７、光源制御部１０８、及び光源１０９を備えていなくてもよい。
【００２５】
≪制御装置≫
図３は、本実施形態に係る制御装置の一例のハードウェア構成図である。本実施形態に係る制御装置２０は、ＣＰＵ２０１と、ＲＡＭ２０２と、ＲＯＭ２０３と、外部Ｉ／Ｆ２０４と、通信Ｉ／Ｆ２０５とがバスＢ２で相互に接続されている。
【００２６】
ＣＰＵ２０１は、ＲＯＭ２０３等の記憶装置からプログラムやデータをＲＡＭ２０２上に読み出し、処理を実行することで制御装置２０全体の制御や機能を実現する演算装置である。ＲＡＭ２０２は、プログラムやデータを一時保持する揮発性の半導体メモリ（記憶装置）である。ＲＯＭ２０３は、電源を切ってもプログラムやデータを保持することができる不揮発性の半導体メモリ（記憶装置）である。なお、制御装置２０は、さらに、ＨＤＤやＳＳＤ等の不揮発性の記憶装置を備えていてもよい。
【００２７】
外部Ｉ／Ｆ２０４は、外部装置とのインタフェースである。外部装置には、記録媒体２０４ａ等がある。記憶媒体２０４ａには、出力装置１０に出力させるコンテンツ情報や実施形態を実現するプログラムを格納することができる。制御装置２０は外部Ｉ／Ｆ２０４を介して、記録媒体２０４ａの読み取り及び／又は書き込みを行うことができる。
【００２８】
通信Ｉ／Ｆ２０５は、ネットワークＮ１に接続するインタフェースである。これにより、制御装置２０は出力装置１０と通信Ｉ／Ｆ２０５を介して通信を行うことができる。
【００２９】
本実施形態に係る出力装置１０及び制御装置２０は、例えば上記のハードウェア構成を有することにより、後述するような各種処理を実現できる。
【００３０】
＜ソフトウェア構成＞
次に、本実施形態に係る出力システム１の出力装置１０及び制御装置２０のソフトウェア構成について説明する。
【００３１】
≪出力装置≫
図４は、本実施形態に係る出力装置の一例の機能ブロック図である。本実施形態に係る出力装置１０は、画像データ処理部１１と、音データ処理部１２と、出力部１３と、電力制御部１４とを有する。
【００３２】
画像データ処理部１１は、コンテンツ情報に含まれる画像データを入力し、所定の処理を行う。そして、画像データ処理部１１は、所定の処理後の画像データをＲＡＭ１０２や不図示のバッファメモリ等に書き込む。
【００３３】
ここで、入力される画像データは、例えば、ＲＧＢ信号やＨＤＭＩ（登録商標）（High-Definition Multimedia Interface）信号等の映像信号でもよい。また、入力される画像データは、これらの映像信号を生成するためのＭＰＥＧ（Moving Picture Experts Group）等のマルチメディアフォーマットの電子データやレンダリングを行う命令及びレンダリングの対象となる文書データ等であってもよい。
【００３４】
画像データ処理部１１が入力した画像データに対して行う所定の処理とは、例えば、ガンマ変換や各種のフィルタ処理等である。また、画像データ処理部１１が入力した画像データがＭＰＥＧ等のマルチメディアフォーマットの電子データである場合、例えば、デコード処理等を行う。
【００３５】
音データ処理部１２は、コンテンツ情報に含まれる音データを入力し、所定の処理を行う。そして、音データ処理部１２は、所定の処理後の音データをＲＡＭ１０２や不図示のバッファメモリ等に書き込む。
【００３６】
ここで、入力される音データは、例えば、ＰＣＭ（Pulse Code Modulation）データ、ＭＰＥＧ等のマルチメディアフォーマットの電子データ、ＭＩＤＩ（Musical Instrument Digital Interface）データ等である。
【００３７】
音データ処理部１２が入力した音データに対して行う所定の処理とは、例えば、ボリューム調整や音調調整、各種のフィルタ処理等である。また、音データ処理部１２が入力した音データがＭＰＥＧ等のマルチメディアフォーマットの電子データである場合、例えば、デコード処理等を行う。なお、音データ処理部１２が入力した音データがＭＩＤＩデータである場合、レンダリング処理が必要となる。
【００３８】
出力部１３は、画像データ処理部１１や音データ処理部１２がＲＡＭ１０２や不図示のバッファメモリに書き込んだデータを、出力する。すなわち、出力部１３は、ＲＡＭ１０２や不図示のバッファメモリに書き込まれた画像データを光学ユニット制御部１０６及び光源制御部１０８の制御に従って投影し、画像を表示させる。また、出力部１３はＲＡＭ１０２や不図示のバッファメモリに書き込まれた音データを、スピーカ制御部１１０の制御に従って出力し、音（音波）を発生させる。
【００３９】
電力制御部１４は、制御装置２０から受け取った制御情報に基づき、光源制御部１０８やスピーカ制御部１１０を介して光源１０９やスピーカ１１１の電力を制御する。すなわち、例えば、電力制御部１４は、制御装置２０から光源１０９の電源をＯＦＦにするための制御情報を受け取ると、光源制御部１０８を介して光源１０９の電源をＯＦＦにする。同様に、例えば、電力制御部１４は、制御装置２０からスピーカ１１１の電源をＯＦＦにするための制御情報を受け取ると、スピーカ制御部１１０を介してスピーカ１１１の電源をＯＦＦにする。
【００４０】
≪制御装置≫
図５は、本実施形態に係る制御装置の一例の機能ブロック図である。本実施形態に係る制御装置２０は、制御要否判定部２１と、制御情報生成部２２とを有する。
【００４１】
制御要否判定部２１は、出力装置１０の電力制御を行うための制御情報の生成を行うか否かを判定する。例えば、制御要否判定部２１は、出力装置１０が入力する画像データが一定時間存在しない場合、光源１０９の電源をＯＦＦにするための制御情報を生成すると判定する。同様に、例えば、制御要否判定部２１は、出力装置１０が入力する画像データが一定時間存在しない場合、スピーカ１１１の電源をＯＦＦにするための制御情報を生成すると判定する。
【００４２】
制御情報生成部２２は、制御要否判定部２１の判定結果に応じて出力装置１０の電力を制御するための制御情報を生成する。
【００４３】
＜処理の概要＞
次に、本実施形態に係る出力システム１の処理の概要について説明する。図６は、本実施形態に係る出力システムの処理の一例の概要を説明するための図である。図６を示す例は、出力装置１０１、出力装置１０２、出力装置１０３によりスクリーン３００に映像を投影する。制御装置２０は、無線通信によるネットワークＮ１を介して、各出力装置１０に画像データを含むコンテンツ情報を送信する。また、制御装置２０は、無線通信によるネットワークＮ１を介して、出力装置１０に制御情報を送信する。
【００４４】
なお、スクリーン３００において、出力装置１０１が投影する映像が表示される領域を領域３００１、出力装置１０２が投影する映像が表示される領域を領域３００２、出力装置１０３が投影する映像が表示される領域を領域３００３とする。また、コンテンツ情報は、例えば、制御装置２０と接続された記録媒体２０４a等に格納されており、コンテンツ情報に含まれる画像データは、再生時間（出力が終了するまでに必要な時間）ｔ３秒の映像データであるとする。
【００４５】
図６（ａ）は、各出力装置１０がスクリーン３００に映像を投影している場合を示す。各出力装置１０は、制御装置２０から受け取った画像データを含むコンテンツ情報に基づき、画像（映像）を投影する。
【００４６】
ここで、制御装置２０は、ｔ１秒〜ｔ２秒の間、出力装置１０３は画像データを投影する必要がないと判定したとする。換言すれば、制御装置２０は、ｔ１秒〜ｔ２秒の間、出力装置１０３の光源１０９の電源をＯＦＦにするための制御情報を生成を行うと判定したとする。すると、図６（ｂ）に示すように、制御装置２０は、出力装置１０３の光源１０９の電源をＯＦＦにするための制御情報を出力装置１０３に送信する。そして、出力装置１０３は、受け取った制御情報に基づいて、光源１０９の電源をＯＦＦにする。これにより、出力装置１０３は、映像を投影しない間は光源１０９の電源がＯＦＦになり不要な電力の消費を防止することができる。なお、出力装置１０３は画像データを投影する必要がない場合とは、例えば、ｔ１秒〜ｔ２秒の間、出力装置１０３に映像信号が入力されない場合や入力された映像信号により投影される画像が黒画像である場合等である。
【００４７】
その後、制御装置２０は、ｔ２秒〜ｔ３秒の間、出力装置１０３は画像データを投影する必要があると判定したとする。換言すれば、制御装置２０は、ｔ２秒〜ｔ３秒の間、出力装置１０３の光源１０９の電源をＯＮにするための制御情報を生成を行うと判定したとする。すると、図６（ｃ）に示すように、制御装置２０は、出力装置１０３の光源１０９の電源をＯＮにするための制御情報を出力装置１０３に送信する。そして、出力装置１０３は。受け取った制御情報に基づいて、光源１０９の電源をＯＮにする。これにより、出力装置１０３は、再び映像を投影することができるようになる。
【００４８】
以上のことは、コンテンツ情報に音データが含まれ、出力装置１０のスピーカ１１１の電源をＯＦＦに制御する場合も同様である。このように、出力システム１の制御装置２０は、各出力装置１０がコンテンツ情報を出力する必要がない場合、光源１０９やスピーカ１１１の電源をＯＦＦにするための制御情報を、電力制御を行う出力装置１０に対して送信する。また、制御装置２０は、光源１０９やスピーカ１１１の電源がＯＦＦになっている出力装置１０について、コンテンツ情報を出力させる必要がある場合、光源１０９やスピーカ１１１の電源をＯＮにするための制御情報を、電力制御を行う出力装置１０に対して送信する。
【００４９】
なお、制御装置２０は、各出力装置１０がコンテンツ情報を出力する必要があるのか否かについて、予めコンテンツ情報をデコード処理することで判定することができる。例えば、制御装置２０は、出力装置１０３に対するコンテンツ情報を予めデコード処理して、画像データの投影有無を取得する。そして、制御装置２０は、出力装置１０３が一定時間、画像データの投影がない場合、この一定時間の間、出力装置１０３はコンテンツ情報を出力する必要がないと判定する。
【００５０】
＜処理の詳細＞
次に、本実施形態に係る出力システム１の処理の詳細について説明する。図７は、本実施形態に係る出力システムの処理の一例のシーケンス図である。なお、以下では、図６で示した例と同様の場合に、出力装置１０３の光源１０９の電源を一定の時間の間ＯＦＦにする制御を行う場合について説明する。
【００５１】
まず、制御装置２０の制御要否判定部２１は、記録媒体２０４a等に格納されているコンテンツ情報を読み込み、デコード処理等を行うことにより、出力装置１０に対する制御情報を生成する必要があるか否かを判定する（ステップＳ１１）。すなわち、上述したように、制御装置２０の制御要否判定部２１は、予めコンテンツ情報をデコード処理し、各出力装置３０の画像データの投影有無を取得する。そして、制御要否判定部２１は、出力装置３０が一定時間の間、画像データの投影を行わない場合、この一定時間の間、出力装置３０の光源１０９の電源をＯＦＦにするための制御情報を生成すると判定する。ここでは、図６で示した例と同様に、出力装置１０３が時間ｔ１〜ｔ２の間、画像データの投影を行わないものとして説明を続ける。したがって、制御装置２０の制御要否判定部２１は、時間ｔ１〜ｔ２の間、出力装置１０３の光源１０９の電源をＯＦＦにするための制御情報と、時間ｔ２以降、出力装置１０３の光源１０９の電源をＯＮにするための制御情報とを生成する必要があると判定する。
【００５２】
なお、制御要否判定部２１は、上記で説明した場合に限られず、例えば、出力装置１０が一定時間の間投影する画像データが黒画像又は黒画像に近い画像データである場合、上述した制御情報の生成が必要であると判定してもよい。同様に、制御要否判定部２１は、例えば、出力装置１０が一定時間の間投影する画像データの輝度や明るさが極端に低い場合、上述した制御情報の生成が必要があると判定してもよい。なお、制御情報を生成する必要があると判定される画像データの輝度や明るさの閾値は、予め制御装置２０で保持していればよい。
【００５３】
また、制御要否判定部２１は、例えば、出力装置１０が一定時間の間音を出力しない場合、この一定時間の間スピーカ１１１の電源をＯＦＦにするための制御情報と、この一定時間の経過後スピーカ１１１の電源をＯＮにするための制御情報とを生成する必要があると判定してもよい。同様に、制御要否判定部２１は、例えば、出力装置１０が一定時間の間出力する音の音量（ボリューム）が極端に低い場合、上述した制御情報を生成する必要があると判定してもよい。なお、制御情報を生成する必要があると判定される音データの音量の閾値は、予め制御装置２０で保持していればよい。
【００５４】
次に、制御装置２０の制御情報生成部２２は、制御要否判定部２１の判定結果に応じて出力装置１０の電力を制御するための制御情報を生成する（ステップＳ１２）。ここでは、制御情報生成部２２は、出力装置１０３の光源１０９の電源をＯＦＦにするための制御情報と、出力装置１０３の光源１０９の電源をＯＮにするための制御情報とを生成したものとして説明を続ける。
【００５５】
なお、制御情報生成部２２が生成する制御情報は、上述したものに限られない。制御情報生成部２２は、例えば、光源１０９やスピーカ１１１の消費電力が少なくなるように制御する制御情報であってもよい（例えば、光源１０９の光量を低下させるための制御情報やスピーカ１１１の出力を低下させるための制御情報等でもよい）。
【００５６】
次に、制御装置２０は、コンテンツ情報を出力装置１０に送信する（ステップＳ１３−１〜ステップＳ１３−３）。そして、各出力装置１０は、制御装置２０からコンテンツ情報を受け取ると、画像データ処理部１１や音データ処理部１２で所定の処理を行う。その後、各出力装置１０の出力部１３は、コンテンツ情報を出力する（ステップＳ１４−１〜ステップＳ１４−３）。これにより、各出力装置１０は、例えば、スクリーン３００に画像データを投影することができる。このステップＳ１３及びステップＳ１４は、コンテンツ情報の再生時間が０〜ｔ１秒の間、繰り返し実行される。
【００５７】
なお、出力装置１０は、画像データを投影する場合、光学ユニット制御部１０６により制御される光学ユニット１０７及び光源制御部１０８により制御される光源１０９を用いて投影を行う。同様に、出力装置１０は、音データを出力する場合、スピーカ制御部１１０により制御されるスピーカ１１１を用いて出力を行う。
【００５８】
次に、制御装置２０は、ステップＳ１２で生成した、出力装置１０３の光源１０９の電源をＯＦＦにするための制御情報を出力装置１０３に対して送信する（ステップＳ１５）。そして、出力装置１０３の電力制御部１４は、制御装置２０から上記の制御情報を受け取ると、光源制御部１０８に対して光源１０９に対する電源のＯＦＦを指示し、光源制御部１０８により光源１０９の電源がＯＦＦにされる（ステップＳ１６）。これにより、以降、出力装置１０３の光源１０９の電力消費を抑えることができる。
【００５９】
続いて、制御装置２０は、コンテンツ情報を出力装置１０に送信する（ステップＳ１７−１及びステップＳ１７−２）。そして、出力装置１０１及び出力装置１０２は、制御装置２０からコンテンツ情報を受け取ると、画像データ処理部１１や音データ処理部１２で所定の処理を行う。その後、各出力装置１０の出力部１３は、コンテンツ情報を出力する（ステップＳ１８−１及びステップＳ１８−２）。このステップＳ１７及びステップＳ１８は、コンテンツ情報の再生時間がｔ１〜ｔ２秒の間、繰り返し実行される。なお、このとき、出力装置１０３はコンテンツ情報の出力を行わない。
【００６０】
次に、制御装置２０は、ステップＳ１２で生成した、出力装置１０３の光源１０９の電源をＯＮにするための制御情報を出力装置１０３に対して送信する（ステップＳ１９）。そして、出力装置１０３の電力制御部１４は、制御装置２０から上記の制御情報を受け取ると、光源制御部１０８に対して光源１０９に対する電源のＯＮを指示し、光源制御部１０８により光源１０９の電源がＯＮにされる（ステップＳ２０）。これにより、以降、出力装置１０３はコンテンツ情報に含まれる画像データの投影を再開することができるようになる。
【００６１】
なお、例えば、出力装置１０が光源１０９やスピーカ１１１の電源をＯＮにするための制御情報を受け取ってから実際に光源１０９やスピーカ１１１の電源がＯＮになるまでにΔｔ秒の時間を要するとすれば、制御装置２０は、光源１０９やスピーカ１１１の電源をＯＮしたい時間のΔｔ秒前に、出力装置１０に対して制御情報を送信する。これにより、出力装置１０がコンテンツ情報を出力するタイミングに合わせて光源１０９やスピーカ１１１の電源をＯＮにすることができる。なお、このような、光源１０９やスピーカ１１１が起動に要する時間（Δｔ）は、予め制御情報２０の記憶装置等に保持させておけばよい。
【００６２】
続いて、制御装置２０は、コンテンツ情報を出力装置１０に送信する（ステップＳ２１−１〜ステップＳ２１−３）。そして、各出力装置１０は、制御装置２０からコンテンツ情報を受け取ると、画像データ処理部１１や音データ処理部１２で所定の処理を行う。その後、各出力装置１０の出力部１３は、コンテンツ情報を出力する（ステップＳ２２−１〜ステップＳ２２−３）。このステップＳ２１及びステップＳ２２は、コンテンツ情報の再生時間がｔ１〜ｔ３秒の間、繰り返し実行される。
【００６３】
以上のように、本実施形態に係る出力システム１は、コンテンツ情報に基づき、出力装置１０の電力を制御するための制御情報を生成する。そして、出力装置１０は、制御装置２０から受け取った制御情報に基づき電力制御を行う。これにより、出力システム１は、不要な電力の消費を抑えることができ、省電力を図ることができる。
【００６４】
なお、本実施形態では、出力装置１０１〜出力装置１０３のうち１台の出力装置１０（出力装置１０３）の電力制御を行う場合について説明したが、２台以上の出力装置１０の電力制御を行う場合についても上記説明と同様の方法で行うことができる。また、例えば、出力装置１０１〜出力装置１０３のうち出力装置１０１の電力制御は行わず、出力装置１０２及び出力装置１０３の電力制御のみ行うようにしてもよい。このように、制御装置２０が電力制御を行う出力装置１０を設定することができるようにしてもよい。
【００６５】
また、例えば、制御装置２０の外部Ｉ／Ｆ２０４に外部スピーカ等が接続された場合、制御装置２０はこれを検知して、各出力装置１０に対してスピーカ１１１の電源をＯＦＦにする制御情報を送信するとともにコンテンツ情報に含まれる音データはこの外部スピーカ等から出力させるようにしてもよい。
【００６６】
＜応用例＞
次に、本実施形態に係る出力システム１の応用例について説明する。図８は、本実施形態に係る出力システムの応用例を説明するための図である。図８に示す例は、出力システム１を広告等を表示させるデジタルサイネージに応用した場合を示す。したがって、各出力装置１０は、光学ユニット制御部１０６、光学ユニット１０７、光源制御部１０８、及び光源１０９の代わりに、ディスプレイ３００とこのディスプレイを制御するディスプレイ制御部（不図示）を有するものとして、以降説明する。
【００６７】
まず、図８（ａ）に示すように、最初はすべてのディスプレイ３００１〜ディスプレイ３００３に画像データは表示されていない。換言すれば、最初はすべての出力装置１０のディスプレイ３００の電源はＯＦＦの状態である。
【００６８】
次に、図８（ｂ）に示すように、人がディスプレイ３００１の前を通りかかると出力装置１０１は、これを検知してディスプレイ３００１の電源をＯＮにするとともにディスプレイ３００１に画像データを表示させる。
【００６９】
続いて、図８（ｃ）に示すように、出力装置１０１は、人がディスプレイ３００１の前を通り過ぎたのを検知すると、自身のディスプレイ３００１の電源をＯＦＦにする。また、出力装置１０１は、人の動作方向を検知して、その人が動作する方向に存在するディスプレイ３００２の電源をＯＮにするための制御情報を生成し、出力装置１０２に対して送信する。そして、出力装置１０２は、制御情報を受け取ると、自身のディスプレイ３００２の電源をＯＮにして、ディスプレイ３００２に画像データを表示させる。このような、ディスプレイ３００の電力のＯＮ／ＯＦＦは、電力制御部１４からディスプレイ制御部（不図示）に対してディスプレイ３００の電力のＯＮにさせる指示又はＯＦＦにさせる指示を行えばよい。なお、制御情報の生成及び送信は、制御装置２０を介して行ってもよい。
【００７０】
続いて、図８（ｄ）に示すように、出力装置１０２は、人がディスプレイ３００２の前を通り過ぎたのを検知すると、自身のディスプレイ３００２の電源をＯＦＦにする。また、出力装置１０２は、人の動作方向を検知して、その人が動作する方向に存在するディスプレイ３００３の電源をＯＮにするための制御情報を生成し、出力装置１０３に対して送信する。そして、出力装置１０３は、制御情報を受け取ると、自身のディスプレイ３００３の電源をＯＮにして、ディスプレイ３００２に画像データを表示させる。
【００７１】
以上により、デジタルサイネージに応用した出力システム１は、複数のディスプレイ３００の前を通る人に対して、次々と広告を表示させることができる。そして、このとき、人が通り過ぎたディスプレイ３００の電源をＯＦＦにすることにより、不要な電力の消費を防止することができる。
【００７２】
＜まとめ＞
以上のように本実施形態に係る出力システム１では、コンテンツ情報を出力していない出力装置１０において不要な電力の消費を防止する制御を行うことができる。これにより、出力システム１全体の省電力化を図ることができる。
【００７３】
なお、制御要否判定部２１は、判定手段の一例である。制御情報生成部２２は、制御情報生成手段の一例である。電力制御部１４は、電力制御手段の一例である。
【００７４】
本発明は、具体的に開示された上記の実施形態に限定されるものではなく、特許請求の範囲から逸脱することなく、種々の変形や変更が可能である。
【符号の説明】
【００７５】
１        出力システム
１０      出力装置
１１      画像データ処理部
１２      音データ処理部
１３      出力部
１４      電力制御部
２０      制御装置
２１      制御要否判定部
２２      制御情報生成部
１０１    ＣＰＵ
１０２    ＲＡＭ
１０３    ＲＯＭ
１０４    外部Ｉ／Ｆ
１０４ａ  記録媒体
１０５    通信Ｉ／Ｆ
１０６    光学ユニット制御部
１０７    光学ユニット
１０８    光源制御部
１０９    光源
２０１    ＣＰＵ
２０２    ＲＡＭ
２０３    ＲＯＭ
２０４    外部Ｉ／Ｆ
２０４ａ  記録媒体
２０５    通信Ｉ／Ｆ
Ｂ１      バス
Ｂ２      バス
Ｎ１      ネットワーク
【先行技術文献】
【特許文献】
【００７６】
【特許文献１】特開２０１３−０４４７３５号公報
【図１】
0006435657.tif 000002
【図２】
0006435657.tif 000003
【図３】
0006435657.tif 000004
【図４】
0006435657.tif 000005
【図５】
0006435657.tif 000006
【図６】
0006435657.tif 000007
【図７】
0006435657.tif 000008
【図８】
0006435657.tif 000009